(57)【要約】【課題】  水中での歩き易さを向上させたウェーダーを提供する。【解決手段】  シューズ部２と該シューズ部２から上方に延びるパンツ部１とを有するウェーダーにおいて、前記シューズ部２の甲部には、幅方向に離間した二点間の離間距離を調節するための調節手段７を設ける。【選択図】  図１
2005325480.tif 000002
【特許請求の範囲】
【請求項１】
シューズ部（２）と該シューズ部（２）から上方に延びるパンツ部（１）とを有するウェーダーにおいて、
前記シューズ部（２）の甲部には、幅方向に離間した二点間の離間距離を調節するための調節手段（７）が設けられていることを特徴とするウェーダー。
【請求項２】
前記シューズ部（２）の甲部にはクロロプレンゴム層を有する変形部（４ａ）が設けられ、該変形部（４ａ）は少なくとも前記二点間に設けられている請求項１記載のウェーダー。
【発明の詳細な説明】
【技術分野】
【０００１】
本発明は、水に入るときに着用するウェーダーに関する。
【背景技術】
【０００２】
従来、水に入って魚釣りをする際、下半身が水に濡れないようにシューズ部とパンツ部とが一体になった防水性のあるウェーダーが使用されている。釣り人はこのウェーダーを着用して水中を歩き回りながら釣りをしている。
【発明の開示】
【発明が解決しようとする課題】
【０００３】
ところで、ウェーダーを購入する場合、購入者はシューズ部及びパンツ部のそれぞれのサイズを確認し、自分の体に合うものを探して購入している。しかしながら、シューズ部及びパンツ部のサイズがぴったり合う人は少なく、パンツ部又はシューズ部が大きいものを購入することが多くなる。しかも、足の大きさには甲部の高さや幅に個人差があるため、自分の体にぴったりと合うものを探すのは非常に難しい。
【０００４】
しかしながら、足よりシューズ部のサイズが大きいウェーダーを着用して、足場の悪い水中を歩き回りながら釣りをするとシューズの中で足が動いてしまい非常に歩き難い。さらに、この歩き難さに水の流れや水圧の影響が加わるので、水中を歩くだけで疲れてしまい、釣りの楽しさも半減することになる。このように、着用時にシューズの中で足が動かないようにすることで、水中での歩き易さを向上させたウェーダーのニーズが潜在的にある。
【０００５】
本発明は、上記問題に鑑みて、水中での歩き易さを向上させたウェーダーを提供することを課題とする。
【課題を解決するための手段】
【０００６】
本発明は、上記課題を解決すべくなされたものであり、本発明に係るウェーダーは、シューズ部と該シューズ部から上方に延びるパンツ部とを有するウェーダーにおいて、前記シューズ部の甲部には、幅方向に離間した二点間の離間距離を調節するための調節手段が設けられていることを特徴とする。
【０００７】
該構成のウェーダーにあっては、シューズ部の甲部に調節手段が設けられているので、該調節手段によって甲部の幅を縮めたり広げたりできる。従って、例えば、シューズ部のサイズが足のサイズよりも大きい場合には、調節手段により甲部を縮めてシューズ部を足にフィットさせることができる。逆に、甲部の幅を縮めすぎた結果、足が窮屈になった場合には、調節手段により甲部を広げてシューズ部を足に合わせることができる。
【０００８】
特に、シューズ部の甲部にはクロロプレンゴム層を有する変形部が設けられ、該変形部は少なくとも前記二点間に設けられていると良い。具体的には、シューズ部の甲部の二点間の離間距離を調節手段により調節するときに変形部が変形するので調節し易く良い。しかも、クロロプレンゴムは原料特性として伸縮性を有しているので、変形部が変形し易く良い。もちろん、クロロプレンゴムは原料特性として防水性も備えているので良い。
【発明の効果】
【０００９】
本発明のウェーダーにあっては、シューズ部の甲部の幅方向の離間した距離を調節する調節手段が設けられているので、甲部位置で足の大きさに合うように固定することによってシューズ部内での足の動きを抑制できるので、水中の歩き易さを向上させることができる。
【発明を実施するための最良の形態】
【００１０】
以下、本発明の一実施形態に係るウェーダーについて、図面を参酌しつつ説明する。図１はウェーダーの全体構成を示している。ウェーダーは、シューズ部２とシューズ部２から上方に延びるパンツ部１とを有している。ウェーダーは、接合位置３の位置でパンツ部１とシューズ部２とが一体に成形されている。
【００１１】
パンツ部１は、クロロプレンゴム層を有する基材から形成されている。即ち、クロロプレンゴム層の外面に伸縮性のあるジャージ素材が貼り付けられており、クロロプレンゴム層の内面に使用者が簡単に着脱できるような滑り加工が施されている。
【００１２】
シューズ部２は、図２に示すように、インナー４と、シューズ部２の外周を補強する補強部５と、ソール部６と、シューズ部２の甲部の幅方向に離間する二点間の離間距離を調節するための調節手段７とにより構成される。なお、図２はウェーダーにおける左足側を示す拡大図であり、左足側と右足側とは左右対称の構造となっている。本発明の一実施形態では、この左足側のシューズ部２について以下に説明する。また、右足側のシューズ部２については説明を省略する。
【００１３】
インナー４は、シューズ部２の内部に設けられており、その周囲には補強部５が貼り付けられている。なお、前述の接合位置３の位置でインナー４とパンツ部１とが縫い合わされて一体に接合される。インナー４は、パンツ部１と同様にクロロプレンゴム層を有する基材から形成されている。クロロプレンゴム層の外面にはジャージ素材が貼り付けられており、内面には滑り加工が施されている。インナー４はシューズ部２の内部全域に設けられている。シューズ部２の甲部位置にはインナー４が部分的に露出して変形部４ａを形成している。シューズ部２の甲部位置はインナー４のみで形成されて、この変形部４ａの周囲を囲むように補強部５が貼り付けられている。この変形部４ａは、クロロプレンゴム層を有する基材が補強部５よりも高い伸縮性を有していることを利用することにより、補強部５が設けられている部分よりも変形し易いようにしている。
【００１４】
補強部５は、シューズ部２の爪先側を補強する爪先側補強部８と、シューズ部２の両側面側をそれぞれ補強する第１、第２側面補強部９、１０と、踵側を補強する踵側補強部１１と、接合位置３を補強する接合補強部１２とから構成されている。因みに、補強部５は、例えば、生ゴムを貼り合わせた後に架橋することで形成される。
【００１５】
ソール部６は、シューズ部２の底面に交換可能に設けられたフェルトソール１３と、フェルトソール１３が貼り付けられるミッドソール１４とにより構成されている。
【００１６】
調節手段７は、図２〜図４に示すように、ベルト部１５と、該ベルト部１５を変形部４ａの幅方向両端でそれぞれ保持する第１、第２ベルト保持部１６、１７とを有している。第１、第２ベルト保持部１６、１７は、それぞれベルト部１５を係止する係止リング１８と該係止リング１８をシューズ部２に保持する保持部１９とを有している。両係止リング１８は、略矩形状の開口部を有している。両係止リング１８の開口部の長手方向はシューズ部２の幅方向と略直交する方向に向けて配置されている。保持部１９はそれぞれ第１、第２側面補強部９、１０とインナー４との間に挟まれた状態で貼り付けられている。具体的には、インナー４に第１、第２側面補強部９、１０を保持部１９を挟んだ状態で貼り付けてから架橋している。なお、図３は図１のＡ−Ａ断面を図示した概略断面図であり、図４は、ベルト部１５を取り外した状態を示す斜視図である。
【００１７】
続いて、ベルト部１５を図５に基づいて詳述する。図５（イ）、（ロ）はベルト部１５をシューズ部２から外した状態を示しており、（イ）はベルト部１５の正面図であり、（ロ）はベルト部１５の背面図である。ベルト部１５には、フック部とループ部とを組み合わせて着脱可能に構成された面ファスナーが設けられている。即ち、図５（イ）に示すように、ベルト部１５の正面側の長手方向一端側には、第１フック部２０が設けられており、その隣りには間隔をあけて第１ループ部２１が設けられている。そして、図５（ロ）に示すように、ベルト部１５の背面側の長手方向他端側には、第２フック部２２が設けられており、その隣りには間隔をあけて第２ループ部２３が設けられている。なお、図中における斜線の範囲は、第１、第２フック部２０、２２及び第１、第２ループ部２１、２３が設けられている範囲を示している。また、第２フック部２２の範囲が第１フック部２０の範囲よりも広く形成されているのは、両係止リング１８の二点間の離間距離を細かく調節できるようにするためである。図５（イ）に示すように、ベルト部１５の他端側に先細り形状となる把持部２４が設けられており、ベルト部１５を掴み易くしている。また、ベルト部１５の他端側を先細り形状にしているのは、係止リング１８に該他端側を挿通し易くするためである。
【００１８】
ベルト部１５は係止リング１８に係止されることで二点間の離間距離を調節できるようにしている。即ち、図３に示すように、ベルト部１５の一端側は、第１、第２ベルト保持部１６、１７の一側の係止リング１８に挿通され、この係止リング１８を挟むように第１フック部２０側が折り返された後に第１ループ部２１に貼り合わされて係止される。さらに、ベルト部１５の他端側は、他側の係止リング１８に第２フック部２２側が挿通され、足の甲部を抑えるべく両係止リング１８の離間距離が調節されてから第２ループ部２３に貼り合わされる。
【００１９】
以上説明したように、本発明の一実施形態に係るウェーダーにあっては、シューズ部２の甲部に幅方向に離間した二点間の離間距離を調節するための調節手段７が設けられている。これにより、使用者がウェーダーを着用したときにシューズ部２のサイズが足のサイズよりも大きい場合であっても、甲部位置の二点間の離間距離を縮めるように調節することで足をシューズ部２に固定することができる。もちろん、甲部位置の二点間の離間距離を縮めすぎた結果、足が窮屈になった場合には、調節手段７により甲部を広げてシューズ部２を足に合わせることができる。そのため、水中での歩き易さを向上させたウェーダーを提供することができる。
【００２０】
さらに、調節手段７は、面ファスナーが設けられたベルト部１５により調節するようにしているので、甲部位置の二点間の離間距離を縮めた後に第２フック部２２を第２ループ部２３に貼り付けるだけで調節した離間距離を維持することができる。もちろん、ベルト部１５による離間距離の微調整も簡単にできる。しかも、ベルト部１５は、バックル式のベルトと異なり、片手だけで調節できるという利点もある。また、ベルト部１５は着脱可能な構成となっているので、面ファスナーが劣化して調節した離間距離を維持できない状態になったとしても、簡単にベルト部１５を交換することができる。
【００２１】
また、両係止リング１８の間に変形部４ａが設けられているので、ベルト部１５により甲部位置の二点間の離間距離の調節をし易い。さらに、変形部４ａが生ゴムよりも高い伸縮性を有するクロロプレンゴム層を有する基材から形成されているので軟らかく、足にフィットする。これにより、例えば、生ゴムで変形部４ａを成形している場合では、生ゴムの硬さゆえに足の甲部と変形部４ａとが歩行時に擦れてしまい、ウェーダー着用者が痛みを感じることも有り得るが、前述の如く変形部４ａが足の甲部にフィットすることで歩行時に擦れることも少なくなり、痛みの発生を抑制することができる。
【００２２】
なお、本発明の一実施形態に係るウェーダーは上記実施形態に限定されるものではなく、本発明の要旨を逸脱しない範囲において種々の変更が可能である。例えば、面ファスナーではなく係止リング１８の一方側に複数のパンチ穴のあるベルトを取り付け、係止リング１８の他方側にバックルを取り付けて離間する二点間の距離を調節するようにしても良い。無論、他方側の係止リング１８の代わりにバックルを直接保持部１９に取り付ける構成であっても良い。
【００２３】
また、フック部を備えたベルトを両係止リング１８のうちの一方側に取り付け、ループ部を備えたベルトを両係止リング１８の他方側に取り付けて、両ベルトにより離間する二点間の距離を調節するようにしても良い。
【００２４】
また、両保持部１９に複数の靴紐用の穴を成形し、靴紐により離間する二点間の距離を調節するようにしても良い。
【図面の簡単な説明】
【００２５】
【図１】本発明の一実施形態に係る全体構成図である。
【図２】図１のシューズ部の拡大斜視図である。
【図３】図１の概略Ａ−Ａ断面図である。
【図４】図２のシューズ部からベルト部を外した状態を示す斜視図である。
【図５】図２のベルト部を外した状態を示しており、（イ）はベルト部の正面図、（ロ）はベルト部の背面図である。
【符号の説明】
【００２６】
１…パンツ部、２…シューズ部、３…接合位置、４…インナー、４ａ…変形部、５…補強部、６…ソール部、７…調節手段、８…爪先側補強部、９…第１側面補強部、１０…第２側面補強部、１１…踵側補強部、１２…接合補強部、１３…フェルトソール、１４…ミッドソール、１５…ベルト部、１６…第１ベルト保持部、１７…第２ベルト保持部、１８…係止リング、１９…保持部、２０…第１フック部、２１…第１ループ部、２２…第２フック部、２３…第２ループ部、２４…把持部
【図１】
2005325480.tif 000003
【図２】
2005325480.tif 000004
【図３】
2005325480.tif 000005
【図４】
2005325480.tif 000006
【図５】
2005325480.tif 000007